(57)【要約】【課題】小型で軽量にでき、しかも操作性を向上できる振動式ルアーを提供する。【解決手段】振動式ルアー１のルアー本体３内部に、振動動作を付与する振動発生装置１１とこの振動発生装置１１に電力を供給する電池１３とを水密的に内蔵した筐体１５が設けられている。また、ルアー本体３に浮力を発生する浮力発生体１９がルアー本体３に設けられている。ルアー本体３は浮力発生体１９により水面に浮かぶので、この状態で振動発生装置１１が振動すると、水面に波紋を生じさせ、この波紋により対象魚が振動式ルアー１に食いつくことになる。【選択図】図１
2005087163.tif 000002
【特許請求の範囲】
【請求項１】
ルアー本体の内部に、振動動作を付与する振動発生装置とこの振動発生装置に電力を供給する電池とを水密的に内蔵した筐体が設けられていることを特徴とする振動式ルアー。
【請求項２】
前記ルアー本体に、当該ルアー本体に浮力を発生する浮力発生体を設けていることを特徴とする請求項１記載の振動式ルアー。
【請求項３】
前記ルアー本体に、前記振動発生装置に断続的に振動を発生せしめる制御装置を設けていることを特徴とする請求項１又は２記載の振動式ルアー。
【請求項４】
前記振動発生装置が回転式であると共に振動発生装置の回転軸を水面に対してほぼ垂直方向となるように配置されていることを特徴とする請求項１、２または３記載の振動式ルアー。
【請求項５】
前記筐体を第１筐体と第２筐体とから構成すると共に前記振動発生装置と電池との導通をＯＮ・ＯＦＦするスイッチを設け、このスイッチを作動すべく前記第１筐体と第２筐体とを互いに対して回転自在に設け、前記第１筐体と第２筐体の何れか一方の少なくとも一部がルアー本体の外表面に回転可能に露出されていることを特徴とする請求項１乃至４記載の振動式ルアー。
【発明の詳細な説明】
【技術分野】
【０００１】
この発明は、釣り具としてのルアーに関し、特にルアー本体に振動を付与する電動式振動発生装置を備えた振動式ルアーに関する。
【背景技術】
【０００２】
ルアーロッドにリールをセットし、ルアーに釣り糸を結んでキャスト（ルアーを投げること）する。つぎに、リールにより釣り糸が巻き取られる（「リトリーブ」という）と、ルアーは水圧を受けて様々な動きをする。このルアーの動きや振動により、魚が餌あるいは敵と間違えてルアーをかみつくと考えられている。
【０００３】
従来のルアーにおいては、小魚に似た形状のルアーの頭部にリップと称する透明なプラスチック板があり、リトリーブすると、前記リップに水圧を受けて潜行し活発に上下動するように工夫されている。この種のルアーには、大きな潜行深度を得るために、ルアー内部に空間を設け、この空間内を鉛等の錘が移動してルアー自体の重心を自在に移動させるように構成したものがある（例えば、特許文献１参照）。
【０００４】
また、水中や水面を遊泳中にルアー自体に振動を発生させるためにルアー本体の内部にバイブレーション手段が設けられた振動式ルアーがある。例えば、ルアー本体には、ルアー本体に振動動作を与える振動付与手段と、この振動付与手段を駆動する電動駆動手段と、この駆動手段に電力を供給するための太陽電池と、が内蔵されており、前記ルアー本体の先端には、振動式ルアーが水中で曳航されるときに水中における流体的な力によってルアー本体が潜行及び浮上を繰り返すための傾斜面が設けられている（例えば、特許文献２参照）。
【０００５】
また、ルアー本体に、振動音発生装置と発光装置の少なくとも一方を搭載し、魚が好む周波数でそれらを作用させるようにしたルアーもある（例えば、特許文献３参照）。
【特許文献１】特開平７−２９８８０７号公報
【特許文献２】特開平１１−９１４２号公報
【特許文献３】特開２００３−１０３号公報
【発明の開示】
【発明が解決しようとする課題】
【０００６】
ところで、従来のルアーにおいては、前述したようにルアーを水中又は水面で振動させるために高比重のおもりを搭載したルアーを移動自在にする際に、巻き取るときの微妙なコントロールが必要になるので熟練度が求められる。
【０００７】
また、ルアー本体内に振動付与手段や振動音発生装置が備えられた従来の振動式ルアーでは、装置が大きいためにルアーが重くなってしまい、この高比重のルアーをコントロールすることが難しくなってしまうという問題点があった。又、浮力をつけて水面に浮かべて波紋を起こすことはできない。
【０００８】
この発明は上述の課題を解決するためになされたものである。
【課題を解決するための手段】
【０００９】
この発明の振動式ルアーは、ルアー本体の内部に、振動動作を付与する振動発生装置とこの振動発生装置に電力を供給する電池とを水密的に内蔵した筐体が設けられていることを特徴とするものである。
【００１０】
この発明の振動式ルアーは、前記振動式ルアーにおいて、前記ルアー本体に、当該ルアー本体に浮力を発生する浮力発生体を設けていることが好ましい。
【００１１】
この発明の振動式ルアーは、前記振動式ルアーにおいて、前記ルアー本体に、前記振動発生装置に断続的に振動を発生せしめる制御装置を設けていることが好ましい。
【００１２】
この発明の振動式ルアーは、前記振動式ルアーにおいて、前記振動発生装置が回転式であると共に振動発生装置の回転軸を水面に対してほぼ垂直方向となるように配置されていることが好ましい。
【００１３】
この発明の振動式ルアーは、前記振動式ルアーにおいて、前記筐体を第１筐体と第２筐体とから構成すると共に前記振動発生装置と電池との導通をＯＮ・ＯＦＦするスイッチを設け、このスイッチを作動すべく前記第１筐体と第２筐体とを互いに対して回転自在に設け、前記第１筐体と第２筐体の何れか一方の少なくとも一部がルアー本体の外表面に回転可能に露出されていることが好ましい。
【発明の効果】
【００１４】
以上のごとき課題を解決するための手段から理解されるように、この発明によれば、筐体の内部に振動発生装置と電池が水密的に収納されているので、この筐体をルアー本体の内部に設けた振動式ルアーは、小型で軽量にでき、しかも操作性を向上させることができる。
【００１５】
また、振動式ルアーを水中にキャストすると、ルアーは浮力発生体により水面に浮かぶので、この浮かんだ状態でルアー本体が振動発生装置により振動すると、水面に波紋を生じさせ、この波紋により対象魚をルアーに食いつかせることができる。
【００１６】
なお、振動発生装置の回転軸が水面に対してほぼ垂直方向となるように配置されることにより、水平配置する場合と水面の波紋の出方及びルアーの動きが異なり魚の種類に応じて選択することが可能である。
【００１７】
また、制御装置により振動発生装置を断続的に運転することにより、電池の寿命を長くし、筐体の一部がルアー本体の表面から露出されているので、電源のＯＮ・ＯＦＦの操作も、電池の交換も簡単に行うことができる。
【発明を実施するための最良の形態】
【００１８】
以下、この発明の実施の形態について図面を参照して説明する。
【００１９】
図１を参照するに、この実施の形態に係る振動式ルアー１は、この実施の形態では、ルアー本体３がほぼ疑似餌の魚形状を示しているが、虫、烏賊、あるいは極端にデフォルメした形状、あるいは大きさ、形態などの外観が任意であり、材質も、合成樹脂、木材、金属、その他の材料であっても構わない。
【００２０】
上記のルアー本体３の先端には釣り糸を結びつけるためのアイ５が取り付けられており、ルアー本体３の底面と後端側には複数個のアイ７を介して釣り針９が連結されている。
【００２１】
また、上記のルアー本体３の内部には、ルアー本体３に振動動作を付与する振動発生装置としての例えば振動モータ１１と、この振動モータ１１に電力を供給する電源としての例えばボタン電池１３と、を水密的に内蔵したカプセル型の筐体１５が設けられている。さらに、上記の振動発生装置の運転を制御するための制御装置としての例えばコントロール回路１７が内蔵されている。なお、上記の電源としては、ボタン電池１３に限定されず、例えばリチウム電池等の二次電池、あるいは他の形態の電池であっても構わない。
【００２２】
さらに、上記のルアー本体３の上部には、ルアー本体３に浮力を発生する浮力発生体としての例えば発泡スチロール１９が取り付けられている。なお、浮力発生体としては、上記の発泡スチロール１９に限らず、その他の発泡樹脂、あるいは空気を密封した浮き袋体、水より軽比重の材質からなる浮き体、あるいはその他の形態の浮力発生体であっても構わない。
【００２３】
図２及び図３を参照するに、上記のカプセル型の筐体１５について詳しく説明すると、筐体１５は円筒形状をなすカプセル形状であり、開口部２１を有する椀型の第１筐体としての例えば上部筐体２３と開口部２５を有する椀型の第２筐体としての例えば下部筐体２７とからなり、前記上部筐体２３と下部筐体２７とを各開口部２１、２５に設けたネジ部２９で螺合してカプセル型に組み立てるように構成されている。したがって、上部筐体２３と下部筐体２７が互いに反対方向に回転されると、ネジ部２９により上部筐体２３と下部筐体２７が互いに接近・離反されることになる。上部筐体２３をしめ込んだ時にオンしない場合、ネジ部２９で高さを微調整し、確実にオンさせることができる。
【００２４】
なお、上部筐体２３と下部筐体２７の底部のほぼ中央には取付用ネジ部３１が貫通されており、例えば前記取付用ネジ部３１を用いて下部筐体２７をルアー本体３に固定し、上部筐体２３を回転容易にするために上部筐体２３に把持するためのつまみ部を取り付けることができる。あるいは、上部筐体２３をルアー本体３に固定し、下部筐体２７を回転するようにしても構わない。あるいは、その他の用途に利用可能である。また、上記の取付用ネジ部３１を使用しないときは、例えばめくらネジにより閉塞される。なお、前記取付用ネジ部３１は防水性を考えると、ない方が望ましい。
【００２５】
また、下部筐体２７の前記ネジ部２９から外れた外周面には一周する溝部３３が設けられ、この溝部３３に装着したＯリング３５に上部筐体２３の開口端面を押圧することにより、筐体１５の内部が水密的に密封されるように構成されている。
【００２６】
筐体１５の内部には、下部筐体２７の底部側に例えば扁平型の振動モータ１１が装着され、上部筐体２３の底部側にボタン電池１３が装着され、振動モータ１１とボタン電池１３との間にはボタン電池１３から振動モータ１１へ供給される電流をＯＮ、ＯＦＦせしめるスイッチ３７が装着されている。
【００２７】
この実施の形態では、上部筐体２３及び下部筐体２７の各底面から側壁にかけて導体３９Ａ，３９Ｂが設けられており、上部筐体２３と下部筐体２７とを螺合したときに各導体３９Ａ，３９Ｂが導通するように構成されているので、振動モータ１１とボタン電池１３は各底面が前記導体３９Ａ，３９Ｂで導通するよう格納されることになる。
【００２８】
図４乃至は図６を併せて参照するに、図５ではスイッチ３７の断面が図示されており、スイッチ３７の下部が振動モータ１１の上部に全周に亘って環状の絶縁部４１を介して接触しており、振動モータ１１の上部のほぼ中央部には振動モータ１１に導通する接点部４３が備えられている。
【００２９】
スイッチ３７はダイヤフラム形状であり、スイッチ３７の上部には上記のボタン電池１３の下面全面の例えばマイナス（−）電極部が導通して設けられている。
【００３０】
上部筐体２３が回転されると、ネジ部２９により下部筐体２７に接近、離反されるので、ボタン電池１３の下面が接点部４３に対して接近、離間する方向に変位可能となっている。したがって、上部筐体２３の底面の導体３９Ａがボタン電池１３の上面全面のプラス（＋）電極部に導通した状態でスイッチ３７を下方へ押圧可能に設けられている。
【００３１】
この実施の形態では、スイッチ３７はドーム状部材４５が外周をほぼ円形で可撓性を備えた椀型形状をなしており、このドーム状部材４５のほぼ中央部には図５において下側の凹面側の内方に突出した内方突起部４７と、図５において上側の凸面側の外方に突出した外方突起部４９と、から構成される突起部５１が設けられている。この実施の形態の突起部としては、内方突起部４７がドーム状部材４５のほぼ中央部に設けられ、外方突起部４９が前記内方突起部４７の外周側に内方突起部４７を中心とした環状に設けられている。
【００３２】
上記構成により、上部筐体２３が例えば１８０°ほど回されることにより、図６に示されているようにボタン電池１３を介してスイッチ３７の外方突起部４９が下方へ押圧されると、スイッチ３７が可撓性を有しているので下方へ撓んで内方突起部４７が接点部４３に確実に接触し導通してスイッチ３７がＯＮ状態になる。したがって、振動モータ１１が電気的につながり、回転して振動が発生し、筐体の全体が振動することとなる。
【００３３】
なお、上部筐体２３が逆方向に回されて上昇することにより、スイッチ３７が原位置に復帰し、内方突起部４７が接点部４３から離反してスイッチ３７がＯＦＦとなる。
【００３４】
次に、前述した実施の形態に用いられる振動モータ１１としての例えば扁平型の小型直流振動モータ１１について図面を参照して説明する。
【００３５】
図７乃至は図９を参照するに、小型振動モータ１１は、固定子５３と、この固定子５３に回転自在に装着された回転子５５と、この回転子５５を密閉するための一端が開口した扁平な円筒型モータケース５７とより構成されている。
【００３６】
回転子５５は、例えばモールド樹鮨５９により回転軸６１に一体に形成された複数の電機子巻線６３（コイル）と振動子としての例えば分銅６５とからなる電機子６７と、前記回転軸６１の周囲に設けられ且つ電機子巻線６３の端子に接続されるスリップリング６９と、から構成される。
【００３７】
また、モータケース５７内に回転子５５が収納され、この回転子５５が収納されたケース５７の開口端は、電機子巻線６３に対向するマグネット７１（永久磁石）が取り付けられた蓋７３で構成される固定子５３で閉じられる。
【００３８】
マグネット７１は、複数個に分割されてリング状に配置されている。より具体的にマグネット７１は、Ｎ極を上向きにしたものとＳ極を上向きにしたものとが９０°毎に交互にリング状に配置されて、電機子巻線６３に対して回転軸６１の軸方向に対向する。この複数のマグネット７１の構成は、リング状に連続するマグネット７１をその磁極が反転する位置で分割したものということができる。
【００３９】
また、電機子巻線６３に直流電圧を供給するためのブラシ７５が、マグネット７１の配置の中心部を通る回転軸６１の周囲に備えたスリップリング６９（整流子）の外周に接するように取り付けられている。
【００４０】
図９は、ブラシ７５の取り付け状態を、マグネット７１との関係で示した斜視図である。ブラシ７５は、その先端部を回転軸６１に取り付けられたスリップリング６９の外周面に接触させた状態で、分割されているマグネット７１の間隙を通ってマグネット７１の外側に引き出されている。ブラシ７５の基端部は、マグネット７１の外側に配置された電圧印加端子部材７７に支持固定されている。なお、ブラシ７５は振動モータ１１の回転軸６１の位置から、複数個に分割されたマグネット７１の間隙を通ってマグネット７１の外側まで引き出されている。
【００４１】
上記構成により、上記の複数の電機子巻線６３にスリップリング６９を介して電流が供給されると、その電流の向きとマグネット７１からの磁力線の向きとによってフレミングの左手の法則により回転子５５の回転方向が決定される。この回転時にスリップリング６９により整流されて各電機子巻線６３に順次電流が流れ、回転子５５の回転が持続される。この回転時に、回転子５５の分銅６５により振動が発生する。
【００４２】
図１０を参照するに、制御装置としては、振動モータ１１を断続運転せしめるためのタイマーなどを組み込まれたコントロール回路１７が内蔵されており、例えば、スイッチ３７がＯＮされると、このＯＮ信号によりコントロール回路１７内のタイマーが作動してボタン電池１３から直流電流が振動モータ１１へ導通されるＯＮ、ＯＦＦ動作を繰り返すように構成されている。なお、上記の断続運転の時間の間隔は、予め設定されても、あるいは目的の対象魚の種類に応じて変則的に設定変更可能としても構わない。
【００４３】
再び図１を参照するに、この実施の形態では、上記のカプセル型の筐体１５は、下部筐体２７がルアー本体３の内部に固定され、上部筐体２３が下部筐体２７に対して回転可能にルアー本体３の上部に突出、あるいは露出するように取り付けられている。発泡スチロール１９が前記筐体１５の突出部が隠れるようにしてルアー本体３の上部に容易に着脱可能に取り付けられている。
【００４４】
したがって、上部筐体２３を例えばほぼ１８０°回転してボタン電池１３の電源をＯＮして振動モータ１１に振動を発生した後に、発泡スチロール１９をルアー本体３に取り付けてから、振動式ルアー１を水中にキャスト（ルアーを投げること）すると、振動式ルアー１は発泡スチロール１９により水面に浮かぶ。振動式ルアー１が振動モータ１１の振動により振動すると、水面に波紋が生じ、この水面の波紋により対象魚が反応して振動式ルアー１に食いつくことになる。以上のように、振動式ルアー１が水中で振動しても、水面には波紋が生じにくいが、ルアーが発泡スチロール１９により確実に水面に浮かんだ状態で振動が生じるので、対象魚は餌と勘違いして振動式ルアー１に食いつくことになる。
【００４５】
なお、この実施の形態では、振動モータ１１の回転軸６１が水面に対してほぼ垂直方向となるように配置されていることにより、水面に波紋が生じやすくなる。したがって、筐体１５は、振動モータ１１の回転軸６１が水面に対してほぼ垂直方向となるようにルアー本体３に配置されることが望ましい。
【００４６】
また、上記のコントロール回路１７により振動モータ１１が断続的に運転されると、ボタン電池１３のバッテリー寿命が長くなり、より一層対象魚の興味を誘うことが可能となる。また、筐体１５の上部筐体２３がルアー本体３に表面から突出しているので、ボタン電池１３の電源のＯＮ・ＯＦＦを容易に行うことができると共に、ボタン電池１３の交換も簡単に行うことができる。
【００４７】
また、カプセル型の筐体１５の内部に振動モータ１１とボタン電池１３が収納され、しかも、スイッチ３７により容易に電源のＯＮ・ＯＦＦを行えるので、軽量で、且つ操作性が良好であるので、振動式ルアー１の全体の小型化、軽量化を図ることができる。
【００４８】
図１１（Ａ）〜（Ｃ）を参照するに、この発明の他の実施の形態の一部を示しており、図１１（Ａ）は筐体１５の一部がルアー本体３の下部に突出するように取り付けられており、図１１（Ｂ）は筐体１５の一部が発泡スチロール１９に係わらない位置でルアー本体３の上部に突出するように取り付けられている。あるいは、筐体１５の一部がその他の位置に設けられても構わない。
【００４９】
また、図１１（Ｃ）のように筐体１５がルアー本体３の内部に内蔵された状態であっても構わない。しかも、この図では振動モータ１１の回転軸６１が水面に対してほぼ平行に配置されており、このような状態であっても構わないが、前述したように振動モータ１１の回転軸６１が水面に対してほぼ垂直方向となるように配置されていることが望ましい。なお、図１１（Ｃ）の場合は発泡スチロール１９が容易に着脱され、且つ筐体１５が簡単にルアー本体３の内部から取り出せることが望ましい。
【００５０】
扁平で小型のモータは、回転軸が縦でも横でも取付位置も自在に変更できる。また、筐体１５はルアー本体３の中で上部筐体２３と下部筐体２７が逆さに配置されても構わない。さらに、疑似餌の魚、虫、烏賊、あるいは極端にデフォルメした形状、あるいは大きさ、形態などの種々の外観を有する振動式ルアーに利用できる。
【００５１】
なお、この発明は前述した実施の形態に限定されることなく、適宜な変更を行うことによりその他の態様で実施し得るものである。
【図面の簡単な説明】
【００５２】
【図１】この発明の実施の形態の振動式ルアーの全体的な概略説明図である。
【図２】この発明の実施の形態の振動式ルアーに装着される筺体及び筐体内部に装着されたボタン電池と振動モータの断面図である。
【図３】図２の平面図である。
【図４】図２のＩＶ−ＩＶ線から視た振動モータ及びスイッチの平面図である。
【図５】筐体におけるスイッチがＯＦＦのときの状態説明図である。
【図６】筐体におけるスイッチがＯＮのときの状態説明図である。
【図７】振動モータの一部平面図である。
【図８】図７のＶＩＩＩ−ＶＩＩＩ線図である。
【図９】振動モータのマグネットの部分を示す斜視図である。
【図１０】この発明の実施の形態の振動式ルアーに内蔵されるコントロール回路図である。
【図１１】（Ａ）〜（Ｃ）は、この発明の他の実施の形態の振動式ルアーの全体的な概略説明図である。
【符号の説明】
【００５３】
１  振動式ルアー
３  ルアー本体
９  釣り針
１１  振動モータ（振動発生装置）
１３  ボタン電池（電源）
１５  筐体
１７  コントロール回路（制御装置）
１９  発泡スチロール（浮力発生体）
２３  上部筐体（第１筐体）
２７  下部筐体（第２筐体）
２９  ネジ部
３５  Ｏリング
３７  スイッチ
３９Ａ，３９Ｂ  導体
４１  絶縁部
４３  接点部
５１  突起部
５３  固定子
５５  回転子
５７  モータケース
５９  モールド樹鮨
６１  回転軸
６３  電機子巻線
６５  分銅（振動子）
６７  電機子
６９  スリップリング（整流子）
７１  マグネット（永久磁石）
７３  蓋
７５  ブラシ
７７  電圧印加端子部材
【図１】
2005087163.tif 000003
【図２】
2005087163.tif 000004
【図３】
2005087163.tif 000005
【図４】
2005087163.tif 000006
【図５】
2005087163.tif 000007
【図６】
2005087163.tif 000008
【図７】
2005087163.tif 000009
【図８】
2005087163.tif 000010
【図９】
2005087163.tif 000011
【図１０】
2005087163.tif 000012
【図１１】
2005087163.tif 000013